(57)【要約】【課題】  本発明は、どんな撮影レンズでも同様のフォーカスアシスト機能による輪郭強調表示をおこない、ユーザが容易にフォーカス合わせを行うことができる撮像装置及び表示装置を提供すること。【解決手段】  撮影レンズの交換可能な撮像装置であって、撮影レンズの種類を検知する検知手段と、  映像表示を行う表示手段と、レンズ特性と複数の設定値を記憶する記憶手段と、前記表示手段に入力される撮像信号に前記設定値を用いて所定の処理を施し前記撮像信号を強調する信号処理手段と、を備え、前記信号処理手段は、前記検知手段によって検知された前記撮影レンズの種類に応じて前記記憶手段より設定値を読み出し前記信号処理手段により所定の処理を施し前記撮像信号を強調することを特徴とする。【選択図】  図１
2016092596.tif 000002
【特許請求の範囲】
【請求項１】
撮影レンズの交換可能な撮像装置であって、
撮影レンズの種類を検知する検知手段と、
映像表示を行う表示手段と、
レンズ特性と複数の設定値を記憶する記憶手段と、
前記表示手段に入力される撮像信号に前記設定値を用いて所定の処理を施し前記撮像信号を強調する信号処理手段と、を備え、
前記信号処理手段は、前記検知手段によって検知された前記撮影レンズの種類に応じて前記記憶手段より設定値を読み出し前記信号処理手段により所定の処理を施し前記撮像信号を強調することを特徴とする撮像装置。
【請求項２】
前記撮影レンズの絞り値を検知する絞り検知手段を備え、
前記信号処理手段は、前記絞り検知手段によって検知された絞り値と、
前記検知手段によって検知された前記撮影レンズの種類に応じて前記記憶手段より設定値を読み出し前記信号処理手段により所定の処理を施し前記撮像信号を強調することを特徴とする請求項１記載の撮像装置。
【請求項３】
前記表示手段に表示する映像を拡大する拡大表示手段と、
拡大表示する表示領域を選択する選択手段を備え、
前記選択手段によって選択された拡大表示領域と、
前記検知手段によって検知された前記撮影レンズの種類と、
前記絞り検知手段によって検知された絞り値に応じて前記記憶手段より設定値を読み出し前記信号処理手段により所定の処理を施し前記撮像信号を強調することを特徴とする請求項２記載の撮像装置。
【請求項４】
前記検知手段によって検知された前記撮影レンズの種類と、
前記絞り検知手段によって検知された絞り値に応じて前記記憶手段よりレンズ特性を呼び出し、
レンズ特性に基づいて前記信号処理手段により所定の処理を施し前記撮像信号を強調する領域を決定することを特徴とする請求項２記載の撮像装置。
【請求項５】
前記信号処理手段は前記撮像装置から出力された撮像信号から輪郭成分を抽出する抽出手段と、
抽出した輪郭成分を元の撮像信号に加算する加算手段とを備え、
前記設定値に強調する高域の周波数、高域強調ゲイン、ノイズ除去のためのベースクリップの閾値を備えたことを特徴とする請求項１記載の撮像装置。
【請求項６】
被写体が撮像された撮像信号を取得する取得手段と、
前記取得手段により取得される撮像信号の映像を表示する表示手段と、
撮像信号が撮像される光学系のレンズ特性と、各レンズ特性に対応する設定値とを複数記憶する記憶手段と、
前記表示手段に入力される撮像信号に前記設定値を用いて所定の処理を施し前記撮像信号の映像を強調する信号処理を施す信号処理手段と、を備え、
前記信号処理手段は、前記取得手段により取得された撮像信号の撮像された撮影レンズの種類に応じて前記記憶手段より設定値を読み出し前記信号処理手段により所定の処理を施し前記撮像信号を強調することを特徴とする画像処理装置。
【請求項７】
撮影レンズの種類を検知する検知手段と、前記撮影レンズを通して被写体を撮像する撮像装置の制御方法であって、
映像表示を行う表示ステップと、
撮影レンズ特性と複数の設定値を記憶する記憶ステップと、
前記表示ステップにて入力される撮像信号に前記設定値を用いて所定の処理を施し前記撮像信号を強調する信号処理ステップと、を備え、
前記信号処理ステップでは、前記撮影レンズの種類に応じて前記記憶手段より設定値を読み出し前記信号処理手段により所定の処理を施し前記撮像信号を強調することを特徴とする撮像装置の制御方法。
【請求項８】
被写体が撮像された撮像信号を取得する取得ステップと、
前記取得手段により取得される撮像信号の映像を表示する表示ステップと、
撮像信号が撮像される光学系のレンズ特性と、各レンズ特性に対応する設定値とを複数記憶する記憶ステップと、
前記表示ステップにて入力される撮像信号に前記設定値を用いて所定の処理を施し前記撮像信号の映像を強調する信号処理を施す信号処理ステップと、を備え、
前記信号処理ステップでは、前記取得手段により取得された撮像信号の撮像された撮影レンズの種類に応じて前記記憶ステップより設定値を読み出し前記信号処理手段により所定の処理を施し前記撮像信号を強調することを特徴とする画像処理装置の制御方法。
【請求項９】
請求項７に記載の撮像装置の制御方法の手順が記述されたコンピュータで実行可能なプログラム。
【請求項１０】
コンピュータに、請求項７に記載の撮像装置の制御方法の各工程を実行させるためのプログラムが記憶されたコンピュータが読み取り可能な記憶媒体。
【請求項１１】
請求項８に記載の画像処理装置の制御方法の手順が記述されたコンピュータで実行可能なプログラム。
【請求項１２】
コンピュータに、請求項８に記載の画像処理装置の制御方法の各工程を実行させるためのプログラムが記憶されたコンピュータが読み取り可能な記憶媒体。
【発明の詳細な説明】
【技術分野】
【０００１】
本発明は、被写体を撮像する際にフォーカシングをサポートする強調機能を有する撮像装置、画像処理装置及びそれらの制御方法に関するものである。
【背景技術】
【０００２】
一眼レフ型デジタルカメラ等のようにカメラボディに対して撮像レンズを交換することの可能なデジタルカメラが知られている。このようなデジタルカメラでは、被写体や撮影状態等に応じてユーザが複数種類の撮像レンズのうちから撮像レンズを選択してカメラボディに装着することによって、所望する撮影状態での撮影を行うことができる。
【０００３】
またビデオカメラには備え付けの液晶パネルにてフォーカス合わせを行い易く補助するために、撮像信号の輪郭強調を行ない拡大表示するフォーカスアシスト機能がある。
【０００４】
撮像信号に高域強調を行うと、フォーカスが合っている被写体映像、すなわち輪郭のはっきりした撮像信号は、輪郭に高域成分が多く含まれているためその輪郭がより強調される。一方、フォーカスが合っていない被写体映像は、その輪郭に高域成分が少ないために高域強調を行っても輪郭はあまり強調されない。よって、高域強調した撮像信号の輪郭部分に注目して見ると、フォーカスが合っている場合と、フォーカスが合っていない場合とで見え方が異なるため、被写体のどこにフォーカスが合っているのかが分かり易い。またフォーカスを合わせたい場所を拡大表示することにより、解像度の少ない液晶パネルにおいてもフォーカス合わせが容易に行うことができる。
【先行技術文献】
【特許文献】
【０００５】
【特許文献１】特開２００９−２１８６６０号公報
【特許文献２】特開２００１−２５１５４９号公報
【発明の概要】
【発明が解決しようとする課題】
【０００６】
しかしながら、上記従来例では、撮影レンズの交換が行われると、撮影時に使用した撮影レンズごとに空間周波数特性が異なることから、撮影画像における解像感が異なることとなる。そのため撮影レンズごとにフォーカスアシスト機能の輪郭強調表示が異なり、解像感が低いレンズではあまり強調表示がされずフォーカス合わせが行いにくくなるという問題点があった。
【０００７】
本発明は、上記問題点に鑑みて成されたものであり、撮影レンズへの依存性を軽減したフォーカスアシスト表示を可能とする撮像装置、表示装置及びそれらの制御方法を提供することを目的とするものである。
【課題を解決するための手段】
【０００８】
上記目的を達成するために、本発明の撮像装置は、撮影レンズの交換可能な撮像装置であって、
撮影レンズの種類を検知する検知手段と、映像表示を行う表示手段と、
レンズ特性と複数の設定値を記憶する記憶手段と、前記表示手段に入力される撮像信号に前記設定値を用いて所定の処理を施し前記撮像信号を強調する信号処理手段と、を備え、
前記信号処理手段は、前記検知手段によって検知された前記撮影レンズの種類に応じて前記記憶手段より設定値を読み出し前記信号処理手段により所定の処理を施し前記撮像信号を強調することを特徴とする。
【０００９】
また、本発明の撮像装置は、被写体が撮像された撮像信号を取得する取得手段と、
前記取得手段により取得される撮像信号の映像を表示する表示手段と、撮像信号が撮像される光学系のレンズ特性と、各レンズ特性に対応する設定値とを複数記憶する記憶手段と、前記表示手段に入力される撮像信号に前記設定値を用いて所定の処理を施し前記撮像信号の映像を強調する信号処理を施す信号処理手段と、を備え、前記信号処理手段は、前記取得手段により取得された撮像信号の撮像された撮影レンズの種類に応じて前記記憶手段より設定値を読み出し前記信号処理手段により所定の処理を施し前記撮像信号を強調することを特徴とする。
【発明の効果】
【００１０】
本発明によれば、撮影レンズへの依存性を軽減したフォーカスアシスト表示がなされるため、マニュアルでのフォーカス合わせを同様に行うことができる。
【図面の簡単な説明】
【００１１】
【図１】本発明の実施例１のビデオカメラにおけるシステム制御の構成を説明する回路ブロック図である。
【図２】本発明の実施例１におけるビデオカメラの構成例を説明する外観斜視図である。
【図３】本発明の実施例１におけるビデオカメラの構成例を説明する外観斜視図である。
【図４】本発明の実施例１におけるピーキング処理部を説明するブロック図である。
【図５】本発明の実施例１におけるピーキング処理部ＬＵＴを示す図である。
【発明を実施するための形態】
【００１２】
＜第１の実施例＞
以下、本発明の第１の実施例による撮像装置の構成について説明する。本実施例では、図２、３にあるように本発明における特徴的なフォーカスピーキング処理を行う装置としてビデオカメラを例示している。しかしこれに限らず、撮像部および交換可能なレンズを有する撮像装置、また当該撮像装置から画像信号等を取得して表示する表示装置、画像処理装置であっても、本発明は達成できる。
【００１３】
図２および図３に、第１の実施例におけるビデオカメラの構成例を説明する外観斜視図を示す。なお、図２、図３に示す機能ブロックの１つ以上は、ＡＳＩＣやプログラマブルロジックアレイ（ＰＬＡ）などのハードウェアによって実現されてもよいし、ＣＰＵやＭＰＵ等のプログラマブルプロセッサがソフトウェアを実行することによって実現されてもよい。また、ソフトウェアとハードウェアの組み合わせによって実現されてもよい。従って、以下の説明において、異なる機能ブロックが動作主体として記載されている場合であっても、同じハードウェアが主体として実現されうる。
【００１４】
図２において、２０１はビデオカメラ本体、２０２は着脱可能な交換式レンズである。
【００１５】
図３において、１０１は電源スイッチ、１０２は録画ボタン、１０３はフォーカスアシストボタン、１０５は液晶表示部、１０６は液晶パネル、３０１はフォーカスリング、３０２はヒンジ部である。
【００１６】
第１の実施例におけるビデオカメラは、カメラ本体２０１の前部に交換式レンズ２０２、フォーカスリング３０１、その側部に表示手段である液晶表示部１０５を有する。
【００１７】
撮像された被写体の映像表示を行う表示手段である液晶表示部１０５は、被写体側あるいは撮影者側に反転自在かつ撮像装置側に開閉自在に設けられている。
【００１８】
具体的には、この液晶表示部１０５は、再生映像や撮影映像を表示可能な液晶パネル１０６、およびこの液晶パネル１０６の後部に設けられた図示しない液晶バックライトを有するバックライト方式の液晶表示装置によって構成される。
【００１９】
そして、この液晶表示部１０５は、ヒンジ部３０２によりカメラ本体２０１に取り付けられており、図中矢印Ａ方向に開閉自在であるとともに、図中矢印Ｂ方向に回動自在とされている。
【００２０】
すなわち、液晶表示部１０５（液晶パネル１０６）は、カメラ本体２０１に対し、ヒンジ部３０２に設けられた開閉軸を中心に開閉自在、かつこの開閉軸に対して直交するヒンジ部３０２に設けられた回動軸を中心に回動自在とされている。
【００２１】
従って、液晶表示部１０５は被写体側あるいは撮影者側に反転自在である。
【００２２】
電源スイッチ１０１は、本体１の電源をＯＮ／ＯＦＦ操作する切替スイッチである。また、録画ボタン１０２はカメラ撮影のスタート／ストップを行うスイッチである。
【００２３】
また、フォーカスアシストボタン１０３はフォーカスアシストモードと通常モードを切り替えるスイッチである。
【００２４】
つぎに、第１の実施例のビデオカメラにおけるシステム制御の構成について説明する。
【００２５】
図１に、第１の実施例におけるビデオカメラにおけるシステム制御の構成を説明する回路ブロック図を示す。
【００２６】
図１に示されるように、第１の実施例におけるビデオカメラは、映像音声入力をおこなう交換式レンズ２０２と音声入力１１６と撮影した撮像信号に対し必要な信号処理を行う映像・音声処理部１１２を備える。さらに、信号処理された画像データを記録再生する記録再生部１１３を有する。
【００２７】
また、映像・音声信号処理部１１２には、撮像素子、Ａ／Ｄ変換機等（不図示）を有する。
【００２８】
また、システム制御手段１０８には、液晶パネル１０６が接続されており、液晶パネル１０６に表示する画像の出力制御を行う。
【００２９】
また、システム制御手段１０８には、液晶パネル１０６の後部に設けられた液晶バックライト１０７の電流制御する電源回路１１５が接続されており、液晶バックライト１０７の制御を行う。
【００３０】
さらに、前述した電源スイッチ１０１、録画ボタン１０２、フォーカスアシストボタン１０３接続されている。
【００３１】
またシステム制御手段１０８は画像処理部１１７、デジタル信号処理部１０９、ピーキング処理部１１０、ＬＣＤ信号処理部１１１およびデータ格納メモリ１１４を有する。
【００３２】
画像処理部１１７では映像・音声信号処理部１１２から入力されたカメラ入力信号に対して画像処理をおこなう。デジタル信号処理部１０９では画像処理部１１７から入力された撮像信号を、接続される記録再生部１１３および液晶パネル１０６に合わせてフォーマット変換およびリサイズ処理を行う。またフォーカスアシストモード時の液晶パネル１０６に表示する拡大表示画像処理を行う。
【００３３】
またピーキング処理部１１０はフォーカスアシストモード時に液晶パネル１０６に表示する撮像信号に対しエッジ成分（輪郭成分）を強調する後述で説明するピーキング処理を行う。
【００３４】
またＬＣＤ信号処理部１１１は液晶パネル１０６に表示する撮像信号に対し、マトリクス変換、ブライト調整、コントラスト調整、ガンマ調整、クロマゲイン調整、シャープネス調整等の画像信号処理を行う。
【００３５】
つぎにピーキング処理について説明する。図４（Ａ）はピーキング処理部１１０を示す図である。ピーキング処理部１１０はエッジ検出値を抽出するエッジ強調信号発生部４０１を有する。図４（Ｂ）はエッジ強調信号発生部４０１を示すブロック図である。ＢＰＦ処理回路４０２は入力される輝度信号Ｙよりエッジ成分である高周波成分をＢＰＦ（バンドパスフィルタ）により抽出する抽出処理を行う。高周波成分を抽出するＢＰＦの中心周波数はデータ格納メモリ１１４より読み出し算出した値に設定される。ゲイン処理回路４０３はＢＰＦ処理回路４０２にて抽出された信号に対してゲイン調整処理を行う。ゲイン調整値はデータ格納メモリ１１４より読み出し算出した値に設定される。ベースクリップ処理回路４０４はゲイン処理回路４０３から入力された信号に対し、所定の閾値以上の信号を抽出する処理を行う。所定の閾値はデータ格納メモリ１１４より読み出し算出した値に設定される。
【００３６】
ピーキング処理は輝度信号Ｙよりエッジ強調信号発生部４０１にて抽出したエッジ検出値に対して、上述したＢＰＦ処理、ゲイン処理、ベースクリップ処理を行い本線形輝度信号Ｙに加算しエッジ強調信号を出力する。
【００３７】
つぎに、上記構成を有する第１の実施例のビデオカメラの動作について説明する。電源スイッチ１０１を押すことでビデオカメラ本体２０１に電源が供給される。ビデオカメラは、交換式レンズ２０２を介して入射する被写体の光信号を映像音声信号処理１１２により電気信号に変換して撮像信号を得る。この撮像信号は、画像処理部１１７、デジタル信号処理１０９、ピーキング処理１１０、ＬＣＤ信号処理１１１で各種信号処理が行われると、液晶パネル１０６に表示される。
【００３８】
一方、撮影者が録画ボタン１０２を押すことで、ビデオカメラ本体２０１の内部に装填された記録再生部１１３にデジタル信号処理１０９にて信号処理された撮像信号および音声信号が記録される。またフォーカスアシストボタン１０３にてフォーカスアシストモードに切り替えると、デジタル処理部１０９にて液晶パネルへの表示画像の所望の領域が拡大される。その後、ピーキング処理部１１０によりピーキング処理が行われ、液晶パネル１０６に輪郭強調された拡大表示画像が表示される。この表示により、フォーカスリング３０１によるマニアルフォーカス合わせが行いやすくなる。また表示の拡大位置（拡大表示領域）はユーザが任意に決定することができる。
【００３９】
次に本発明の第１の実施例におけるフォーカスアシストモード時のシステム制御について説明する。
【００４０】
ユーザはフォーカスアシストボタン１０３によりフォーカスアシストモードを選択する。デジタル信号処理部において液晶パネルへの表示画像が拡大表示処理されてピーキング処理部１１０に出力される。拡大表示位置はあらかじめユーザがメニュー操作にて設定されている。拡大位置は任意に設定可能である。拡大率は２倍固定設定となっている。デジタル信号処理部１０９において画像処理部１１７から入力された撮像信号から、２倍拡大表示の画像を拡大表示位置から切り出し、液晶パネル１０６に合わせてフォーマット変換およびリサイズ処理を行う。
【００４１】
次にピーキング処理部内エッジ強調信号発生部４０１にてエッジ抽出処理を行う。
【００４２】
その際のＢＰＦ処理、ゲイン処理、ベースクリップ処理におけるＢＰＦ中心周波数、ゲイン調整値、ベースクリップ閾値算出方法について説明する。
【００４３】
図５（Ａ）は一レンズにおける解像感指標であるＭＴＦ（Ｍｏｄｕｌａｔｉｏｎ  Ｔｒａｎｓｆｅｒ  Ｆｕｎｃｔｉｏｎ）特性例を示したグラフである。横軸は画面中心からの距離、縦軸はコントラストである。また実線は絞り値Ｆ８、点線は絞り開放での特性である。本実施例では、空間周波数が１０本／ｍｍの場合をレンズの解像感の指標として用いる。レンズにおけるＭＴＦ値は画像中心からの距離が離れるほど低下し、また絞りを開放すると低下している。つまり画像の周辺部分は解像感が低く、絞りが開放に近づけると解像感が下がる。データ格納メモリ１１４には、各撮影レンズごとの撮影レンズ特性であるＭＴＦ特性データを複数記憶しておく。
【００４４】
図５（Ｂ）はピーキング処理におけるＭＴＦ値におけるゲイン調整値、ＢＰＦの中心周波数、ベースクリップ閾値のルックアップテーブル（以下、ＬＵＴと称する）の例であり、データ格納メモリ１１４に格納されている。
【００４５】
ＭＴＦ値が低くなると解像感が低下し、高域成分が少なくなりエッジ抽出量が減る。そのためＭＴＦ値が低いほど、高周波成分を抽出するＢＰＦの中心周波数とベースクリップ閾値を下げてエッジ抽出量を増やし、ゲイン調整値を上げて強調成分を増やす。ＬＵＴの周波数値は数字が小さいほど周波数が小さいことを示し、ベースクリップ値は数字が小さいほど閾値が小さいことを示す。ＬＵＴのゲイン値は数字が大きいほどゲイン調整値が大きいことを示す。このようにＭＴＦ値においてエッジ抽出量が同等になるようにＬＵＴを設定する。
【００４６】
フォーカスアシストモードが選択された際にシステム制御部１０８は交換式レンズ２０２よりレンズ識別情報と絞り値を習得する。取得した識別情報より撮影レンズの種類を検知し、データ格納メモリ１１４に格納されている装着レンズのＭＴＦ特性データを読み出す。取得する撮影レンズの識別情報は、複数種類、あらかじめビデオカメラの本体に記憶されていてもよい。このような構成であれば、撮像装置本体のみならず、撮像装置からの撮像信号を取得する表示装置においても本発明を実施可能である。この場合、取得される撮像信号を撮像した撮像装置の光学系（レンズ）の特性データを取得可能である。そして取得した絞り値とユーザが設定した拡大表示の中心位置よりＭＴＦ値を算出する。算出したＭＴＦ値からデータ格納メモリ１１４に格納されているＬＵＴよりＢＰＦ中心周波数、ゲイン調整値、ベースクリップ閾値を算出する。
【００４７】
このように、本実施例の撮像装置によれば、撮影レンズと絞り値、拡大表示位置によりピーキング処理のパラメータ設定値を変えることにより輪郭強調（高域強調）をより適した表示にできる。そのためどの撮影レンズを装着しても同様にマニュアルでのフォーカス合わせを容易に行うことができる。また、撮影レンズに対応する設定情報としては、本実施例に例示されるものに限らず、高域強調周波数、高域強調ゲイン、ノイズ除去のためのベースクリップの閾値などが考えられる。
【００４８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００４９】
＜第２の実施例＞
以下、本発明の第２の実施例におけるフォーカスアシストモード時のシステム制御について説明する。本発明の第２の実施例のビデオカメラシステム制御の構成および動作については第１の実施例と同等のため説明を省略する。
【００５０】
ユーザはフォーカスアシストボタン１０３によりフォーカスアシストモードを選択する。デジタル信号処理部において液晶パネルへの表示画像が拡大表示処理されてピーキング処理部１１０に出力される。拡大表示位置はあらかじめユーザがメニュー操作にて設定されている。拡大位置は任意に設定可能である。拡大率は２倍固定設定となっている。デジタル信号処理部１０９において画像処理部１１７から入力された撮像信号から、２倍拡大表示の画像を拡大表示位置から切り出し、液晶パネル１０６に合わせてフォーマット変換およびリサイズ処理を行う。
【００５１】
次にピーキング処理部内エッジ強調信号発生部４０１にてエッジ抽出処理を行う。
【００５２】
その際のＢＰＦ処理、ゲイン処理、ベースクリップ処理におけるＢＰＦ中心周波数、ゲイン調整値、ベースクリップ閾値算出方法は第１の実施例と同等のため省略する。
【００５３】
データ格納メモリ１１４から読み出したＭＴＦ値からピーキング処理適用外エリアを算出する。ピーキング処理適用外エリアは、ＭＴＦ値が閾値以下の画像エリアとする。本実施例では閾値を０．６と設定する。図５（Ａ）のレンズＭＴＦ特性では、絞りが開放時に画面中心からの距離が２０ｍｍ以上のエリアにおいてピーキング処理適用外エリアと算出する。ピーキング処理部１１０においてピーキング処理適用外エリアが算出された場合は、ピーキング処理適用外エリアにはピーキング処理を行わないように制御する。その他のエリアはピーキング処理を行う。
【００５４】
このように、本実施例の撮像装置によれば、レンズ特性によるフォーカス合わせに適したエリアを特定し、そのエリアに限定してピーキング処理を行うことができる。そのためユーザはフォーカス合わせに適したエリアを容易に判断することができ、マニュアルでのフォーカス合わせを行うことができる。
【００５５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００５６】
＜他の実施形態＞
本発明の目的は以下のようにしても達成できる。すなわち、前述した各実施形態の機能を実現するための手順が記述されたソフトウェアのプログラムコードを記録した記憶媒体を、システムまたは装置に供給する。そしてそのシステムまたは装置のコンピュータ（またはＣＰＵ、ＭＰＵ等）が記憶媒体に格納されたプログラムコードを読み出して実行するのである。
【００５７】
この場合、記憶媒体から読み出されたプログラムコード自体が本発明の新規な機能を実現することになり、そのプログラムコードを記憶した記憶媒体およびプログラムは本発明を構成することになる。
【００５８】
また、プログラムコードを供給するための記憶媒体としては、例えば、フレキシブルディスク、ハードディスク、光ディスク、光磁気ディスクなどが挙げられる。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等も用いることができる。
【００５９】
また、コンピュータが読み出したプログラムコードを実行可能とすることにより、前述した各実施形態の機能が実現される。さらに、そのプログラムコードの指示に基づき、コンピュータ上で稼動しているＯＳ（オペレーティングシステム）等が実際の処理の一部または全部を行い、その処理によって前述した各実施形態の機能が実現される場合も含まれる。
【００６０】
更に、以下の場合も含まれる。まず記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う。
【００６１】
また、本発明はデジタルカメラのような撮影を主目的とした機器にかぎらず、携帯電話、パーソナルコンピュータ（ラップトップ型、デスクトップ型、タブレット型など）、ゲーム機など、撮像装置を内蔵もしくは外部接続する任意の機器に適用可能である。従って、本明細書における「撮像装置」は、撮像機能を備えた任意の電子機器を包含することが意図されている。
【符号の説明】
【００６２】
１０１  電源ＳＷ
１０２  録画ボタン
１０３  フォーカスアシストボタン
１０５  液晶表示部
１０６  液晶パネル
１０７  バックライト
１０８  システム制御手段
１０９  デジタル信号処理部
１１０  ピーキング処理部
１１１  ＬＣＤ信号処理部
１１２  映像音声信号処理部
１１３  記録再生部
１１４  調整値格納メモリ
１１５  電源回路
１１６  音声入力処理部
１１７  画像処理部
２０１  ビデオカメラ本体
２０２  交換式レンズ
３０１  フォーカスリング
３０２  ヒンジ部
【図１】
2016092596.tif 000003
【図２】
2016092596.tif 000004
【図３】
2016092596.tif 000005
【図４】
2016092596.tif 000006
【図５】
2016092596.tif 000007